(57)【要約】
【課題】　スポーツ競技におけるファンの優勝祈願のような、多数の市民・需要者間で共通する祈願達成の強い熱気・エネルギーを媒体に結集させて顕在化させ、その熱気・エネルギーを市場の活性化、各種商品・サービスの購買力に転換させて売上増大に繋げる新たな販売促進助成手段を得る。
【解決手段】　内部に空気が充満したバルーン体の外表面を祈願メッセージ掲示面とし、この祈願メッセージ掲示面に、共通祈願表示を付すと共に、その共通祈願表示を中核にして、その共通祈願に共感する多数の需要者による祈願メッセージおよび／または署名を付して販売促進助成用具とする。
【選択図】　図１
0003099792.tif 000002
【実用新案登録請求の範囲】
【請求項１】
内部に空気が充満したバルーン体の外表面を祈願メッセージ掲示面とし、この祈願メッセージ掲示面に、共通祈願事項に沿う多数の需要者による祈願メッセージおよび／または署名が付されることを特徴とする販売促進助成用具。
【請求項２】
内部に空気が充満したバルーン体の外表面を祈願メッセージ掲示面とし、この祈願メッセージ掲示面に、共通祈願表示を付すと共に、その共通祈願表示を中核にして、その共通祈願に共感する多数の需要者による祈願メッセージおよび／または署名が付されることを特徴とする販売促進助成用具。
【請求項３】
内部に空気が充満したバルーン体の外表面を祈願メッセージ掲示面とし、この祈願メッセージ掲示面に、複数の装着片を設け、共通祈願事項に沿う多数の需要者による祈願メッセージおよび／または署名を記した祈願メッセージ表示片を、前記装着片を介して前記祈願メッセージ掲示面に装着されることを特徴とする販売促進助成用具。
【請求項４】
内部に空気が充満したバルーン体の外表面を祈願メッセージ掲示面とし、この祈願メッセージ掲示面に、共通祈願表示を付すと共に複数の装着片を設け、その共通祈願表示を中核にして、その共通祈願に共感する多数の需要者による祈願メッセージおよび／または署名を記した祈願メッセージ表示片を、前記装着片を介して、前記祈願メッセージ掲示面に装着されることを特徴とする販売促進助成用具。
【請求項５】
　外表面を祈願メッセージ掲示面としたバルーン体を、搬送台車上に載置したことを特徴とする請求項１ないし請求項４に記載した販売促進助成用具。
【請求項６】
　外表面を祈願メッセージ掲示面としたバルーン体に、そのバルーン体を上下昇降可能に吊り下げる吊り下げ材を接続したことを特徴とする請求項１ないし請求項４に記載した販売促進助成用具。
【考案の詳細な説明】
【技術分野】
【０００１】
この考案は、風船技術あるいはアドバルーン技術を利用し発展させた販売促進助成用具に関するものである。
【背景技術】
【０００２】
各種商品・サービスの市場活性化と、それら商品・サービスの販売促進の手段として、商品・サービスの宣伝情報、あるいは商品・サービスに関わる各種イベント情報を記したバルーン（風船）を通行人・需要者に手渡したり展示したり、あるいはそれらの情報を付したアドバルーンを空に漂わせることは周知である。しかしこのようなバルーンを用いた従来の販売促進手段は、商品・サービスの売り手側のみで生成されて需要者側に一方向で提供され、需要者側は受動的にこれを受けるのみで、バルーンを用いた従来の販売促進手段に需要者側が積極的に参加して手を貸すものではなかった。
【０００３】
　一方、市場の好況不況は需要者の心理的な勢いによって左右されることは経験的に知られており、多数の人々に共通する期待や願望・祈願が叶えそうになったとき、また叶えられたときに、購買力が刺激されて商品・サービスの売上増大に繋がることも経験するところである。
【考案の開示】
【考案が解決しようとする課題】
【０００４】
　このような従来の需要者動向の背景から、この考案は、スポーツ競技におけるファンの優勝祈願のような、多数の市民・需要者の間で共通する祈願達成の強い熱気・エネルギーを媒体に結集させて顕在化させ、その熱気・エネルギーを市場の活性化、各種商品・サービスの購買力に転換させて売上増大に繋げる新たな販売促進助成手段を得ようとするものである。
【課題を解決するための手段】
【０００５】
上記の課題を解決するために、内部に空気が充満したバルーン体の外表面を祈願メッセージ掲示面とし、この祈願メッセージ掲示面に、共通祈願事項に沿う多数の需要者による祈願メッセージおよび／または署名を付して販売促進助成用具とする。
【０００６】
そして更に祈願達成の思いを強くバルーンに化体させるために、内部に空気が充満したバルーン体の外表面を祈願メッセージ掲示面とし、この祈願メッセージ掲示面に、共通祈願表示を付すと共に、その共通祈願表示を中核にして、その共通祈願に共感する多数の需要者による祈願メッセージおよび／または署名を付して販売促進助成用具とする。
【０００７】
また、多数の需要者が予め祈願メッセージ・署名を用意して短時間で祈願メッセージ・署名をバルーン体に付すことができるようにするために、内部に空気が充満したバルーン体の外表面を祈願メッセージ掲示面とし、この祈願メッセージ掲示面に、複数の装着片を設け、需要者による祈願メッセージ・署名を記した祈願メッセージ表示片を、上記装着片を介して前記祈願メッセージ掲示面に着脱自在に装着できるようにする。
【０００８】
　さらにまた、随時多数の需要者にバルーン体が持ち回されて多くの需要者の祈願メッセージ・署名が祈願メッセージ掲示面に記されるようにするために、外表面を祈願メッセージ掲示面としたバルーン体を、搬送台車上に載置し、あるいはバルーン体に、そのバルーン体を上下昇降可能に吊り下げる吊り下げ材を接続する。
【考案の効果】
【０００９】
　このように、この考案の販売促進助成用具を用いれば、例えばプロ・スポーツにおけるファンの熱烈な優勝祈願のような世情を捉えて、多数の市民・需要者間で共通する祈願達成の強い熱気・エネルギーを、媒体となるバルーン体上に結集させて顕在化させ、その熱気・エネルギーを市場の活性化、各種商品・サービスの購買力に転換させて売上増大に繋げることがでできる。
【考案を実施するための最良の形態】
【００１０】
この考案を実施するための最良の形態は、内部に空気が充満したバルーン体の外表面を祈願メッセージ掲示面とし、この祈願メッセージ掲示面に、共通祈願表示を付すと共に、その共通祈願表示を中核にして、その共通祈願に共感する多数の需要者による祈願メッセージおよび／または署名が付され、　そのバルーン体を搬送台車上に載置し、あるいはそのバルーン体に、そのバルーン体を上下昇降可能に吊り下げる吊り下げ材を接続したものである。以下、この考案に係る販売促進助成用具の実施例を、図面を参考に説明する。
【実施例１】
【００１１】
　図１および図２は、この考案に係る販売促進助成用具の一実施例を示している。図１，２において、１は、内部に空気が充満したバルーン体で、その外表面を祈願メッセージ掲示面１ａとしている。バルーン体１は当該商店会で管理されており、祈願メッセージ掲示面１ａには、当該商店会が世情に照らして選定した共通祈願表示（例えば「日本一　優勝祈願」の表示）１ｂが記されている。共通祈願表示１ｂは、時々の世情において多数の市民・需要者が期待し、望んでいる祈願テーマである。またバルーン体１は、キャスター２ａを備えた搬送台車２上に載置され地上で移動自在である。また周知のように、バルーン体１には送風機３が接続されており、常時送風機３によってバルーン体１に空気を送っている。したがって、バルーン体１の稼動中は常にバルーン体１内は空気が充満状態でバルーン１は膨らんでおり、また仮に何らかの外力でバルーン体１に小孔が生じても、その小孔からの流失空気量以上の空気が送風機３によって送り込まれるので、バルーン体１が萎むことなない。
【００１２】
　そして当該商店街を訪れる人々の多くが、このバルーン体１に興味を持って群がり、共通祈願表示１ｂで示される共通祈願に共感する多くの人々（市民・需要者）が、祈願メッセージ掲示面１ａに、共通祈願表示１ｂを中核にして、共通祈願に沿うそれぞれ自らの祈願メッセージおよび／または署名１ｃを記して気勢を上げ気分を高揚させることになる。また、バルーン体１は搬送台車２に乗って方々へ移動可能であるから、次々と多くの新しい人々の手に渡って多くの祈願メッセージ・署名１ｃが集まる。その結果、商品・サービスに対する購買意欲も高まり当該地域・商店街の販売促進・売上増大に繋がるものである。
【００１３】
　なお、上記の実施例では、共通祈願表示１ｂや祈願メッセージ・署名１ｃを祈願メッセージ掲示面１ａに直接記入しているが、これに代えて、共通祈願表示１ｂや祈願メッセージ・署名１ｃを記した別の用紙あるいは薄葉片をこのバルーン体１の祈願メッセージ掲示面１ａに付着しても良い。また、祈願メッセージ掲示面１ａに、共通祈願表示１ｂを必ずしも付す必要はなく、祈願事項を同じくする者が、共通祈願表示１ｂを設けることなく、その祈願事項に沿う個々の祈願メッセージ・署名１ｃのみを、祈願メッセージ掲示面１ａに付しても良い。
【実施例２】
【００１４】
　図３は、この考案に係る販売促進助成用具の他の実施例を示すものである。図３において、１はバルーン体、１ａは祈願メッセージ掲示面、１ｂは共通祈願表示１ｂ、１ｃは祈願メッセージ・署名、３は送風機で、これらのバルーン体１自体の構成は、図１，２に示したものと基本的に全く変わらないが、図１，２に示したものはバルーン体１を搬送台車２に載置したのに対し、図３に示すものは、バルーン体１を高所から吊り下げて保持するものである。このため、バルーン体１に、そのバルーン体１を上下昇降可能に吊り下げる吊り下げ材４を接続したものである。そしてバルーン体１を下方に下ろして個々の祈願メッセージ・署名１ｃを集め、その後、上方へ引き上げてバルーン体１を展示するものであり、この上下操作を繰り返しながら多くの祈願メッセージ・署名１ｃが蓄積されるものである。なお、図３に示す実施例では、バルーン体１内に照明５を配設したもので、夜間でもバルーン体１の内側から祈願メッセージ掲示面１ａを照らして、共通祈願メッセージ１ｂならびに祈願メーッセージ・署名１ｃを映し出すことができる。
【実施例３】
【００１５】
　図４は、この考案に係る販売促進助成用具の更に他の実施例で、その要部のみを示している。すなわち、内部に空気が充満したバルーン体１の外表面の祈願メッセージ掲示面１ａに複数の装着片（この例ではフック状の装着片）６を設け、共通祈願に共感する市民・需要者による祈願メッセージおよび／または署名１ｃを予め記した祈願メッセージ表示片７を、前記装着片６を介して、前記祈願メッセージ掲示面１ａに着脱自在に装着するものである。そして図４の例では、従来周知の絵馬タイプの祈願メッセージ表示片７を用いたものである。
【図面の簡単な説明】
【００１６】
【図１】この考案の一実施例を示す販売促進助成用具の正面図。
【図２】同販売促進助成用具の概略構成図。
【図３】この考案の他の実施例を示す販売促進助成用具の概略構成図。
【図４】この考案の更に他の実施例を示す販売促進助成用具の要部斜視図。
【符号の説明】
【００１７】
１　：　バルーン体
１ａ：　祈願メッセージ掲示面
１ｂ：　共通祈願表示１ｂ
１ｃ：　祈願メッセージ・署名
２　：　搬送台車
２ａ：　キャスター
３　：　送風機
４　：　吊り下げ材
５　：　照明
６　：　装着片
７　：　祈願メッセージ表示片
【図１】
0003099792.tif 000003
【図２】
0003099792.tif 000004
【図３】
0003099792.tif 000005
【図４】
0003099792.tif 000006